(57)【要約】【課題】接触または接触に近い近距離での通信を介して他の機器と情報交換が行いやすくかつ視認性が良好な情報通信装置を提供する。【解決手段】記憶装置２０２と電源装置を有する本体筐体２０６と、表示装置２０３と接触または接触に近い近距離での通信を可能にするアンテナ２０１を備える表示筐体２０４とから構成され、前記本体筐体２０６は、その両側に本体筐体２０６を保持するグリップ部２０５を備え、前記表示筐体２０４は、前記本体筐体２０６の後方に張り出して形成され、該表示筐体２０４の上面に表示部２０３を備え、該表示筐体２０４の下面に前記アンテナ２０１を備えるようにする。【選択図】図１
2006139328.tif 000002
【特許請求の範囲】
【請求項１】
情報通信装置を保持するグリップ部を備えた本体筐体と、前記本体筐体から突出して設けられる表示筐体とから構成され、前記表示筐体は、一方の面に表示装置を備え、他方の面に、接触または接触に近い近距離での通信を可能にするアンテナを備えていることを特徴とする情報通信装置。
【請求項２】
記憶装置と電源装置を有する本体筐体と、表示装置と接触または接触に近い近距離での通信を可能にするアンテナを備える表示筐体とから構成され、
前記本体筐体は、その両側に該情報通信装置を保持するグリップ部を備え、
前記表示筐体は、前記本体筐体の後方に張り出して形成され、該表示筐体の上面に表示部を備え、該表示筐体の下面に前記アンテナを備えている
ことを特徴とする情報通信装置。
【請求項３】
前記請求項１または２記載の情報通信装置において、
前記表示筐体は前記表示部と前記アンテナとの間に制御部を備えている
ことを特徴とする情報通信装置。
【請求項４】
前記請求項１から３記載の何れかの情報通信装置において、
前記本体筐体は、仕切壁を介して上下に２分され、下部に燃料電池、上部に記憶装置を備え、
前記本体筐体の一方の片側には、その長手方向を本体筐体の奥行き方向に一致する姿勢で着脱可能に収納される燃料電池用のタンクを備えている
ことを特徴とする情報通信装置。
【発明の詳細な説明】
【技術分野】
【０００１】
本発明は、外部機器との間で近距離通信を可能にするアンテナを有する通信装置と、前記通信装置を介して取得した情報に関する情報を表示する表示装置とを備えた情報通信装置に関するものである。
【背景技術】
【０００２】
近年、接触動作やタッチ動作などの近距離の通信を介して情報交換が可能な機器が普及している。例えば、通勤定期券や銀行カードなどでは、カードリーダに挿入することなく、所定の位置にカードなどをタッチする動作や置く動作に基づいてカードリーダとの情報通信を可能にしたものがある。
また、例えば、携帯電話に近距離無線装置を備えて、定期券と同様に改札を通過できるようにしたものがある。
【０００３】
一方、博物館などでは、展示物の説明を入館者が持つ携帯装置から行うシステムがある。当初は、音声によるシステムであったが近年は映像などで行うものもある。例えば、
特開平２００４−８８３６１号では、各見学者に適した見学をすることができ、各見学場所で見学者に適切な説明を受けることができ、また災害が発生しても各人に適切な避難のための案内をすることができる見学情報提供システムが開示されている。この従来例では、見学者が見学場所に到着しデータキャリアが見学場所に設けられた送信部の交信領域に入ったとき、説明情報が携帯端末に送信され最適な見学ができるようになっている。
【０００４】
【特許文献１】特開平２００４−８８３６１号公報
【発明の開示】
【発明が解決しようとする課題】
【０００５】
前記従来例では、データキャリアが見学場所に設けられた送信部の交信領域に入ったとき、説明情報が携帯端末に送信されるシステムになっている。このため、所定の交信領域内でデータキャリアを検知して携帯端末に説明情報を送信するためには大掛かりな通信設備が必要である。しかも、説明情報を携帯端末で受けるためには、ある程度の視認性が必要であるが、この従来例では閲覧する具体的な機器内容が開示されていない。
そこで、この発明の目的とするところは、接触または接触に近い近距離での通信を介して他の機器と情報交換が行いやすくかつ視認性が良好な情報通信装置を提供することにある。
【課題を解決するための手段】
【０００６】
本発明に係る情報通信装置では、前記課題を解決するために、情報通信装置を保持するグリップ部を備えた本体筐体から表示筐体を突出させて設け、この表示筐体の一方の面に表示装置を備え、他方の面に、接触または接触に近い近距離での通信を可能にするアンテナを備えるようにする。
【０００７】
具体的には、本発明に係る情報通信装置は、記憶装置と電源装置を有する本体筐体と、表示装置と接触または接触に近い近距離での通信を可能にするアンテナを備える表示筐体とから構成され、前記本体筐体は、その両側に該情報通信装置を保持するグリップ部を備え、前記表示筐体は、前記本体筐体の後方に張り出して形成され、該表示筐体の上面に表示部を備え、該表示筐体の下面に前記アンテナを備えるようにする。
【発明の効果】
【０００８】
本発明によれば、情報通信装置を保持しながら、接触または接触に近い近距離での通信を介して他の機器と情報交換が行いやすく、かつ視認性が良好な情報通信装置が提供される。
【発明を実施するための最良の形態】
【０００９】
以下、図１から図７を参照して、この実施の形態に係る閲覧システムを具体的に説明する。なお、同一の部位や方向などは同一符号を持って示し、重複した説明を省略する。図１はこの閲覧システムの外観図である。図２はこの閲覧システムの装置ブロック図である。図３は本体筐体の内部装置の配置図であり、（ａ）図が本体筐体部分の平面図、(ｂ)図が本体筐体の横断面である。図４は本体筐体の縦断面図である。図５は閲覧端末の外観図であり、（ａ）図が平面図、（ｂ）図が底面図、（ｃ）図が正面図、（ｄ）図が右側面図、（ｅ）図が背面図、（ｆ）図が左側面図である。図６はマーカ部の外観図であり、（ａ）図が正面図、（ｂ）図が左側面図である。図７は閲覧端末の画面遷移図である。
【００１０】
先ず、図１を基に各図を参照して、この閲覧システムの概略構造を説明する。図１において、この閲覧システムは、博物館や展示場に設置される情報提供システムである。この閲覧システムは、各展示物の近傍に設置されて、この展示部を識別するためのマーカ部１００と、利用者に各種の情報を展示する複数の閲覧端末２００とから構成される。
【００１１】
前記マーカ部１００には、各展示物の識別番号を記憶する記憶素子１１０とマーカアンテナ１１１とが所定の高さに設けられている。前記記憶素子１１０は前記閲覧端末２００から発信される電波を前記マーカアンテナ１１１を介して受けることにより駆動し、記憶している前記識別番号を前記マーカアンテナ１１１を介して発信することができる。この実施の形態では、前記記憶素子１１０をμチップと呼ばれる半導体素子で構成する。このμチップは固有の識別番号が記憶されている。図１では、説明上、マーカアンテナ１１１と記憶素子１１０を図示しているが、実態的には、その表面をシートなどで覆うように設けられている。したがって、前記マーカ部１００を各展示部に備えつけることで、前記記憶素子１１０に記憶される識別番号と展示物の内容を特定させることができる。
【００１２】
一方、前記閲覧端末２００は、前記記憶素子１１０に電源となる電波を発信して前記識別番号を入手する端末アンテナ２０１と、前記識別番号に対応した映像情報などのデータを格納する記憶装置２０２（図２参照）と、前記映像情報を表示する表示部２０３を備えている。この閲覧端末２００によれば、この閲覧端末２００の端末アンテナ２０１を前記マーカ部１００のマーカアンテナ１１１とタッチまたは接触させる程度の距離で近距離無線通信を行うことができ、前記マーカ部１００に対応した展示物の情報を前記表示部２０３に表示させることができる。
【００１３】
そして、この閲覧端末２００の特徴の１つは、前記表示部２０３を備えた表示筐体２０４を、グリップ部２０５を備えた本体筐体２０６から張り出させ、この表示筐体２０４の一方の面に表示部２０３、他方の面に前記端末アンテナ２０１を備えた点にある。
即ち、この閲覧端末２００では、前記マーカ部１００との間でタッチまたは近接させることで近距離無線を行うことができる。そして、この実施の形態では情報を見るための表示部２０３を備えている。したがって、利用者は表示部２０３で情報を確認しながら端末アンテナ２０１をマーク部１００のマーカアンテナ１１１にタッチしなければならないが、この実施の形態によれば表示部２０３の裏面側に端末アンテナ２０１を備えているので、前記課題を解決することができる。
【００１４】
また、図３に示すように、この閲覧端末２００の他の特徴の１つは、本体筐体２０６に燃料電池や記憶装置などの内蔵品をコンパクトに収めた点にある。即ち、この実施の形態では、本体筐体２０６を高さ寸法H１より奥行寸法D２が大きく、奥行寸法D２より横幅寸法W１が大きい横長で薄型の箱型形状としている（図５参照）。そして、この本体筐体２０６の両側にグリップ部２０５を備えることで、この本体筐体２０６を両手で確り支持することができる。
【００１５】
図３に示すように、この実施の形態では、この両手での支持が良好な本体筐体２０６を実現するために、本体筐体２０６の最下部に横長で薄型の第１の電源部２０７を配置し、その上部に記憶装置２０２と第２の電源部２０８を並設させ、前記記憶装置２０２の片側に第１の電源部２０７の燃料タンク２０９を設け、前記第２の電源部２０８の上部に操作部２１０となるスイッチ基板２１０ａを設けている。
【００１６】
この実施の形態によれば、最も大きな面積を占める第１の電源部２０７の上部に、薄型の記憶装置２０２と第２の電源部を２０８を上下に積層させることで、本体筐体２０６を薄型で横長の箱体形状とすることができる。そして、この本体筐体２０６の一方の片側に円柱形状の前記燃料タンク２０９を設けることで、この燃料タンク２０９をメイングリップ部２０５ａとすることができる。一方、この本体筐体２０６の他方の片側をサブグリップ部２０５ｂとして、この近傍にスイッチ基板２１０ａを設けることで、サブグリップ部２０５ｂを保持しながら操作を行うことができる。
【００１７】
つまり、この実施の形態では、本体筐体２０６の両側を両手でしっかり保持して、一方の片手ではメイングリップ部２０５ａを介して確り保持し、他の片手ではサブグリップ部２０５ｂで保持しながらの操作ができる。
【００１８】
また、図４に示すように、この実施の形態の他の特徴の１つは、前記両手で確り保持しながら操作できる本体筐体２０６の前方に張り出した前記表示筐体２０４を備えた点にある。即ち、この実施の形態では、前記表示筐体２０４の一方の面に表示部２０３、他方の面に前記端末アンテナ２０１を備えているので、本体筐体２０６を両手で保持しながら前記端末アンテナ２０１と前記マーカアンテナ１１１との位置合わせが容易である。しかも、利用者は、この位置合わせの際に表示内容も必然的に見ることができるので、視認性が良好となる。
【００１９】
更にまた、図３、図４に示すように、この実施の形態では、前記表示筐体２０４が前記本体筐体２０６と所定の角度で連結されているので、前記端末アンテナ２０１とマーカアンテナ１１１の位置合わせで無理な姿勢を強いることなく位置合わせを行うことができる。
【００２０】
また、この実施の形態の他の特徴の１つは、前記表示筐体２０４に制御部２１１を備えた点にある。即ち、この実施の形態では、前記本体筐体２０６を直接保持するグリップ部２０５を採用している。このため、この本体筐体２０６に制御部２１１を構成する制御基板２１１ａを配置すると、本体筐体２０６の厚さが大きくなり保持し難くなる。また、この実施の形態では、電力生成時に水分が発生する燃料電池を第１の電源部２０７に採用しているため、水分を嫌う制御基板２１１ａとの近接配置を避ける必要がある。そこで、この実施の形態では、前記制御基板２１１ａを前記表示筐体２０４に配置することで前記課題を解決している。
【００２１】
また、この実施の形態では、前記表示部２０３を構成する液晶表示パネル２０３ａと薄い面状の端末アンテナ２０１との間に前記制御基板２１１ａを配置する第３の装置収納空間２１２を形成し、この第３の装置収納空間２１２を突出するにしたがって徐々に細くなる構造としている。そして、前記制御基板２１１ａには、この第３の装置収納空間２１２の広い部分に大きな素子を配置し、狭い部分に小さな素子を配置している。
【００２２】
このように、この実施の形態では、前記表示筐体２０４を先細りの形状とすることで、この表示筐体２０４のボリュ−ム感を軽減することができるとともに、この外観形状により前記端末アンテナ２０１とマーカアンテナ１１１と間の接触を見易くすることができる。加えて、このような外観形状でありながら、その内部の実装効率を高めている。
【００２３】
以下、図１から図７を参照して、この実施の形態に係る閲覧システムを更に説明する。
先ず、図２を参照してこの閲覧システムの装置構成を説明する。図２において、この実施の形態では、前記閲覧端末２００を、この閲覧端末２００を統括的に制御する制御装置２１１と、各種の情報を格納する記憶装置２０２と、前記記憶した情報を表示する表示部２０３と、前記マーカ部１００との近距離通信を可能にする通信装置２１３と、前記制御部２１１に操作を指示する操作部２１０と、燃料電池で構成される第１の電源部２０７と、充電池で構成される第２の電源部２０８とを含んで構成される。一方、前記マーカ部１００は、記憶素子１１０とマーカアンテナ１１１とを含んで構成されるμチップと呼ばれる既存の半導体素子で構成される。
【００２４】
前記通信装置２１３は、前記端末アンテナ２０１を備え、この端末アンテナ２０１から電波を発信することにより、マーカ部１００に電源を発生させ、更に、マーカ部１００から発信される識別番号の信号を受信することができる。前記記憶装置２０２は、前記マーカ部１００に格納される識別番号に対応した複数の映像情報が格納されている。
前記制御部２１１は、前記操作部２１０からの操作指示に基づいて、前記表示部２０３にメニュー画面や各種のガイダンスおよび前記識別番号に対応した映像情報を表示させる。
【００２５】
また、前記第１の電源２０７は、前記燃料タンク２０９から提供されるメタノールなどの燃料に基づいて、電気を発生させる燃料電池である。一方、前記第２の電源部２０８は、極一般的な充電池である。この実施例では、前記第１の電源部２０７で常時発電を行い、この発電された電気を第２の電源部２０８に充電し、この第２の電源部２０８から各機器に電源を提供することで、屋内配線等から充電することなく、燃料タンク２０９を取りかえるだけの操作で安定した電源を得ることができる。
【００２６】
次に、図３、図４を参照して、この閲覧端末の内部配置について説明する。
図３、図４において、この実施の形態では、本体筐体２０６を仕切壁２１４を介して上下に２分割し、下部を第１の電源部２０７を収納する第１の装置配置空間２１５とし、上部を第２の装置配置空間２１６としている。この実施の形態では、第１の電源部２０７に燃料電池を採用しているため、この第１の装置配置空間２１５を前記第２の装置配置空間２１６と分離独立する空間としている。これにより、前記燃料電池から発生する水分が他の機器に障害を発生させることを軽減している。更に、この第１の装置収納空間２１５は、外気と接触する本体筐体２０６の底面で構成されるので、この使用者の目に触れ難い底面に水分を排気するための広い排出部２１７を形成することができるので、機能的にもデザイン的にも有利なレイアウトといえる。
【００２７】
一方、前記第２の装置収納空間２１６の長手方向の片側には記憶装置２０２が配置される。この記憶装置２０２は小型の磁気デイスク機で構成され、大容量のデータを格納することができる。また、長手方向の他方側には、一対の薄い充電池からなる第２の電源部２０８が配置される。この第２の電源部２０８は、上下に薄い姿勢でかつ前後に配置される。そして、この第２の電源部２０８の上部に薄いスイッチ基板２１０ａが配置される。
【００２８】
この実施の形態では、前記スイッチ基板２１０ａ側の本体筐体２０６の端部をサブグリップ部２０５ｂとし、対向する本体筐体２０６の端部側をメイングリップ部２０５ａとしている。これにより、メイングリップ部２０５ａではこの閲覧端末をしっかり保持して、サブグリップ部２０５ｂではこの閲覧端末２００を補助的に保持しながら前記スイッチ基板２１０ａで構成される操作部２１０の操作を行うことができる。
また、この構成によれば、実装効率を損なうことなく本体筐体２０６の上面をほぼフラットに形成するとともに、本体筐体２０６を薄型偏平なコンパクトな形状とすることができる。
【００２９】
また、前記メイングリップ部２０５ａには、燃料電池である第１の電源部２０７に燃料を供給する燃料タンク２０９を収納するためのタンク収納空間２１８が形成される。前記タンク収納空間２１８は、円柱形状の燃料タンク２０９を、その長手方向が本体筐体２０６の奥行方向となる姿勢で着脱可能に収納することができ、その外観も丸味をおびた形状としている。この実施の形態では、前記タンク収納空間２１８を本体筐体２０６の主たる上面から上方に張り出して形成している。これにより、この張出部２１９をスベリ止めとすることができるので、本体筐体２０６を確り保持できるメイングリップ部２０５ａとすることができる。
【００３０】
図４において、この実施の形態では、前記本体筐体２０６から後方に張り出すように形成される表示筐体２０４を備えている。この表示筐体２０４は、側面から見て、根元部分が広く、先に行くにしたがって細くなる第３の装置収納空間２１２を備えている。この表示筐体２０４の上面は、前記本体筐体２０６の上面から後方に行くにしたがって所定の角度で立ちあがる第１の傾斜面２２０で形成され、この第１の傾斜面２２０の内側となる第３の装置収納空間２１２に表示部２０３を構成する晶表示パネル２０３ａが配置される。
また、この表示筐体２０４の底面は、前記本体筐体２０６の底面から前記第１の傾斜面２２０に向かって立ちあがる第２の傾斜面２２１が形成され、この第２の傾斜面２２１の内側となる第３の装置収納空間２１２に前記端末アンテナ２０１が設けられる。
【００３１】
そして、この第３の装置収納部２１２の液晶表示パネル２０３ａと端末アンテナ２０１との間に制御部２１１を構成する制御基板２１１ａが配置される。この制御基板２１１ａは、第３の装置収納空間２１２の根元部分に大きな素子を配置し、先端部に小さい素子を配置することで、デッドスペースの少ない配置構成としている。
【００３２】
この第３の装置収納空間２１２は、第２の装置配置空間２１６と連通するように形成され、前記制御部２１１（制御基板２１１ａ）と表示部２０３（液晶表示パネル２０３ａ）と端末アンテナ２０１と記憶装置２０２などがコードを介して接続される。
【００３３】
このように、この実施の形態では、本体筐体２０６の両側に設けたグリップ部２０５を介して閲覧端末２００を両手で確り保持することができる。そして、この本体筐体２０６の後方に所定の角度で立ちあがる第１の傾斜面２２０に表示部２０３が配置されているので、本体筐体２０６を両手で支持した姿勢での表示部２０３の視認性を向上することができる。しかも、前記表示筐体２０４の裏面の第２の傾斜面２２１に端末アンテナ２０１を設けているので、本体筐体２０６を両手で支持した状態におけるマーカアンテナ１１１と端末アンテナ２０１との位置合わせを容易に行うことができる。しかも、表示部２０３の視認性を維持しながら、前記位置あわせを行うことができる。
【００３４】
特に、この実施の形態では、燃料電池を採用する端末において、コンパクトな形態をとることができる。即ち、この種の携帯型の端末機にあっては、コンパクトな形態であることが望ましい。しかし、燃料電池を採用する場合は、発電により発生する水分を排出するための広い排出部２１７が必要である。例えば、本実施の形態のように底面全体に排出部２１７設ける必要がある。すると、前記端末アンテナ２０１と表示部２０３および操作部２１０をどこに配置するかが大きな課題となる。しかも。前記燃料電池は発電時に水分を発生するため、制御基板２１１ａや電子機器などを近接させることには大きな工夫が必要である。更に、表示部２０３の視認性、２つのアンテナ１１１、２０１の位置あわせ、端末筐体（本体筐体２０６）の保持性などを考慮して、これらの課題を解決しなければならない。
この実施の形態では、前記全ての課題を解決することができる。
【００３５】
次に、図５を参照して、この閲覧端末の外観構造を説明する。図５において、この実施の形態では、本体筐体２０６の奥行寸法Ｄ２を９３ｍｍ、最大奥行寸法Ｄ１を１４５ｍｍ、本体筐体２０６の主たる厚さＨ１を３６ｍｍ、メイングリップ部２０５ａを含めた厚さＨ２を４０ｍｍ、横幅Ｗ１を１６０ｍｍとする大きさとしている。
【００３６】
平面図を示す(ａ)図において、前記表示筐体２０４の横幅は、本体筐体２０６の両側のメイングリップ部２０５ａとサブグリップ部２０５ｂを両手で支持した際に両手が表示筐体に２０４に当たらない程度の大きさに設定している。そして、この表示筐体２０４の中央に表示部２０３を配置しているので、表示部２０３を見る利用者は、表示部２０３の周囲にマーカ部１００のタッチする部分を遮る視角ノイズがないので、２つのアンテナの位置あわせが容易である。
【００３７】
また、前記メイングリップ部２０５ａには、燃料の残量を見るための確認窓２２２が設けられ、前記サブグリップ部２０５ｂ側には、前記操作基板２１１ａに設けられる円形の操作ボタン２２７と四角形の操作ボタン２２８が設けられる。この実施の形態では、２つの操作ボタンで、操作指示を行うことにより、誰でも簡単に閲覧端末を操作できるようにしている。
【００３８】
底面図を示す（ｂ）図において、本体筐体２０６の底面に設けた前記排出部２１７は、複数の小さな穴から構成され、この穴から内部に針金などが侵入して燃料電池に支障が来たさないようにしている。また、表示筐体２０４の底面に設けた第２の傾斜面２２１は、マーカ部１００との接触の際に破損しないようにクッション材を備えたシート２２３で覆われている。
【００３９】
正面図を示す（ｃ）図及び右側面図を示す（ｄ）図において、この実施の形態では、前記表示筐体２０４の第１の傾斜面２２０を本体筐体２０６の上面から所定の角度θ１だけ立ち上げて形成している。この実施の形態では、角度θ１を３０度前後とし、両手で本体筐体２０６を保持した際に、天井の照明などの映り込みが少なく、見やすい角度に設定している。
【００４０】
また、前記第２の傾斜面２２１は本体筐体２０６の底面（上面と略平行）から所定の角度θ２だけ立ち上げて形成している。この実施の形態では、角度θ２を４５度前後とし、両手で本体筐体２０６を保持した際にマーカ部の接触する部分との位置あわせが容易な角度となっている。
【００４１】
特に、前記第２の傾斜面２２１の所定の角度θ２は、大きな意味を持つ。例えば、角度θ２が直角な場合、前記マーカ部の接触する部分は垂直面となり、接触させる際に合わせずらい。また同様に、角度θ２が水平な場合、前記マーカ部の接触する部分は水平面となり、接触させる際に合わせずらい。このことから、この実施の形態では、角度θ２を前記所定の角度に設定している。そして、この角度θ２は前記角度θ１との関係で、制御基板２１１ａを収納可能な第３の装置収納空間２１２を確保しつつ、外側に張り出す表示筐体２０４のボリューム感を軽減している。
【００４２】
前記（ｄ）図及び背面図を示す（ｅ）図において、２２４は外部接続用コネクタ、２２５は非常用電源コネクタであり、２２６は燃料タンク２０９をタンク収納空間２１８に出し入れする蓋である。
【００４３】
次に、図６を参照してマーカ部１００の具体的な外観形状について説明する。図６において、この実施形態の前記マーカ部は、高さＨ３が１３３０ｍｍを有する角柱形状としている。つまり、この実施の形態では標識の意味合いを持たせている。このマーク部の上部には三角形状に張り出した突起部１１２が上下に２個配置され、上部は大人用、下部は子供用として使用されるようになっている。なお、この実施形態では、突起部１１２の高さＨ４が７７０ｍｍ程度に設定される。前記突起部１１２の上部は、前記第２の傾斜面θ２に合わせて４５度前後に設定される傾斜面１１３となっており、この傾斜面１１３にタッチ部１１４が設けられ、このタッチ部１１４にシートなどで覆われた前記記憶素子１１０とマーカアンテナ１１１が設けられている。なお、１１５は、タッチする部分であることを示すガイダンス表示である。
【００４４】
次に、図７及び図１を参照して、この閲覧システムの使用方法を説明する。図１において、この閲覧システムでは、例えば、博物館や展示場などの受付で、閲覧端末２００を貸し出し、閲覧後、この受付で回収するように使用される。前記マーク部１００は、各展示物毎に所定の位置に設置される。このマーク部１００は、電源を使用しないので、電源コードとの関係を考慮する必要なく設置することができる。
【００４５】
図７において、先ず、閲覧端末２００を借り受けた利用者は、円形の操作ボタン２２７を長く押下することで、電源がＯＮ状態となる。もちろん電源ボタンを別に設けても良い。
前記制御部２１１は、電源がＯＮ状態になると、表示部２０３に(ａ)図で示すような「Ｗｅｌｃｏｍｅ」メッセージの初期画面３００を所定時間表示した後、この閲覧端末２００の操作方法を（ｂ）図で示すようなガイダンス表示画面３１０を表示する。
【００４６】
この実施の形態では、一部の例外を除いて初期画面３００以外は、上部にガイダンス文字エリア３０１、中央にガイダンス絵表示エリア３０２、下部に操作ボタン機能表示エリア３０３が設けられる。このガイダンス表示画面３１０は、上部のガイダンス文字エリア３０１に、例えば、「画面の指示に従ってＡ、Ｂボタンを押してください」などの文字が表示され、中央のガイダンス絵表示エリア３０２には、操作ボタンの所在を示す図面が表示され、下部の操作ボタン機能表示エリア３０３にはＡボタンを押す（操作する）ための案内が表示される。
【００４７】
制御部２１１は、Ａボタンが設定される円形の操作ボタン２２７が押下されると、（ｃ）図で示すような言語を選択する表示画面３２０を表示し、言語が選択されると、当該言語の確認画面３３０を表示し、確認の操作が選択されると、(ｅ)図で示すような情報の取得方法を示す案内画面３４０を表示する。そして、前記端末アンテナ２０１から電波を発信し、識別番号の受信状態となる。
【００４８】
図１に示すように、使用者が前記マーク部１００のタッチ部１１４に前記表示筐体２０４を接触または近づけることにより、マーク部１００の記憶素子はマーカアンテナ１１１を介して電波を受信し、この受信にともなって起動する。そして、格納された識別番号を前記マーカアンテナ１１１から発信する。
【００４９】
前記制御部２２１は、前記識別番号を受信すると、識別番号に該当する映像情報や音声情報を含んだプログラムデータを前記記憶装置２０２のデータベースから検索して呼び出し、そのプログラムデータを実行させ、その映像情報は表示部２０３に表示される。例えば、（ｆ）図はその一例の表示画面３５０である。以後の操作は、２つの操作ボタンにより随時操作される。
なお、電源OFFは、円形の操作ボタン２２７を長く押下するこで実行される。
【００５０】
以上の説明では、本体筐体２０６に対して表示筐体２０４を固定した実施の形態で説明したが、両筐体を連結部で連結して表示筐体２０４を本体筐体２０６に対して可動可能に設けても良い。
【図面の簡単な説明】
【００５１】
【図１】閲覧システムの外観図である。
【図２】閲覧システムの装置ブロック図である。
【図３】本体筐体の内部装置の配置図である。
【図４】本体筐体の縦断面図である。
【図５】閲覧端末の外観図である
【図６】マーカ部の外観図である。
【図７】閲覧端末の画面遷移図である。
【符号の説明】
【００５２】
１００…マーカ部、１１０…記憶素子、１１１…マーカアンテナ、１１２…突起部、１１３…傾斜面、１１４…タッチ部、２００…閲覧端末、２０１…端末アンテナ、２０２…記憶装置、２０３…表示部、２０３ａ…液晶表示パネル、２０４…表示筐体、２０５…グリップ部、２０５ａ…メイングリップ部、２０５ｂ…サブグリップ部、２０６…本体筐体、２０７…第1の電源部、２０８…第２の電源部、２０９…燃料タンク、２１０…操作部、２１０ａ…スイッチ基板、２１１…制御部、２１１ａ…制御基板、２１２…第３の装置収納空間、２１３…通信装置、２１４…仕切壁、２１５…第１の装置配置空間、２１６…第２の装置配置空間、２１７…排出部、２１８…タンク収納空間、２１９…張出部、２２０…第１の傾斜面、２２１…第２の傾斜面、２２２…確認窓、２２３…シート、２２４…外部接続用コネクタ、２２５…非常用電源コネクタ、２２６…蓋、２２７…円形の操作ボタン、２２８…四角形の操作ボタン。
【図１】
2006139328.tif 000003
【図２】
2006139328.tif 000004
【図３】
2006139328.tif 000005
【図４】
2006139328.tif 000006
【図５】
2006139328.tif 000007
【図６】
2006139328.tif 000008
【図７】
2006139328.tif 000009